(57)【要約】      （修正有）【課題】放熱パイプの熱影響を低減して外箱側面部に貼り付けた真空断熱材の断熱効果を十分に発揮させ省エネ性を高めた冷蔵庫の提供。【解決手段】外箱２と内箱間に発泡断熱材４を充填して冷蔵庫本体と、冷蔵庫本体の前面開口部を開閉する扉５ａとを備え、冷蔵庫本体の外箱内面に真空断熱材９を設けるとともに、冷蔵庫本体の開口部は外箱と内箱の縁部を重合させて構成し、その重合部である外箱の縁部と内箱の縁部との重合部間に放熱パイプ８を配置し、当該放熱パイプの真空断熱材側に内箱の縁部が位置する構成としてある。これによって、放熱パイプから真空断熱材側への熱の拡散を内箱の樹脂製の縁部が遮断することになり、よって真空断熱材を放熱パイプ近くまで設置して側壁部の断熱効果をあげ省エネ性を向上させることができる。【選択図】図６
2013185735.tif 000002
【特許請求の範囲】
【請求項１】
金属製の外箱と樹脂製の内箱と前記外箱と内箱間に充填される発泡断熱材とから構成される冷蔵庫本体と、前記冷蔵庫本体の前面開口部を開閉する扉とを備え、上記冷蔵庫本体の外箱内面に真空断熱材を設けるとともに、前記冷蔵庫本体の開口部は前記外箱と内箱の縁部を重合させて構成し、かつ、前記外箱の縁部は当該外箱の縁部が扉側に位置して内箱の縁部を覆うように重合させるとともに、前記扉と対面する部分の外箱の縁部と内箱の縁部との重合部間に放熱パイプを配置し、当該放熱パイプの真空断熱材側を内箱の縁部で覆う構成とした冷蔵庫。
【請求項２】
外箱の縁部は折り返して二重フランジを形成しその端部に略コ字状部を設けるとともに、内箱の縁部は凹部を形成して当該凹部を前記外箱の略コ字状部に嵌め合わせ、前記凹部と略コ字状部との間に放熱パイプを配置して、前記扉と対面する外箱の縁部が二重構成となる請求項１記載の冷蔵庫。
【請求項３】
外箱の略コ字状部と真空断熱材の端部とは非接触状態として両者間に発泡断熱材が位置する請求項１または２記載の冷蔵庫。
【請求項４】
内箱の凹部は外箱の略コ字状部に圧入して嵌め合わせた請求項１〜３記載の冷蔵庫。
【発明の詳細な説明】
【技術分野】
【０００１】
本発明は断熱箱体に真空断熱材を配した冷蔵庫の省エネ構造に関するものである。
【背景技術】
【０００２】
近年、冷蔵庫の大容量化及び設置スペース縮小の需要が高まるにつれて、冷蔵庫断熱壁を薄肉化する、機械室のコンデンサ（冷蔵庫下部に配置される）を冷蔵庫壁面に貼り付けている放熱パイプで置き換えて無効スペースを無くする工夫がなされている。
【０００３】
そして、上記冷蔵庫断熱壁の薄型化と冷蔵庫壁面への放熱パイプの貼り付けによる庫内への熱侵入防止のために、最近は真空断熱材が多用され始めている。
【０００４】
そのような中にあって最近は真空断熱材の貼り付け面積を増大させる傾向にあり、冷蔵庫本体の側面部にもできるだけ広範囲に真空断熱材を設け、外気温を強力に遮断して一層の省エネ化を進めたものが考えられるようになってきた。
【０００５】
ところが、この冷蔵庫本体の開口縁部には結露が生じないように冷凍サイクルの放熱パイプが配設してある（例えば、特許文献１参照）。
【０００６】
図７は特許文献１に記載された冷蔵庫の扉一部を示し、この冷蔵庫の冷蔵庫本体は外箱１０１の前面開口縁に二重フランジ１０２を介して略コ字状の内箱挿入溝１０３を形成し、この内箱挿入溝１０３に内箱１０４のフランジ１０５を挿入嵌合して内・外箱１０４、１０１を結合することにより、その内部に発泡断熱材１０６を充填して構成してある。そして結露防止のための放熱パイプ１０７は外箱１０１のコーナ部内面と内箱挿入溝１０３側面との間に配置してあり、扉（図示せず）と対面する部分を温めて結露を防止している。
【先行技術文献】
【特許文献】
【０００７】
【特許文献１】特開平５−６０４５６号公報
【発明の概要】
【発明が解決しようとする課題】
【０００８】
上記従来の構成によると、冷蔵庫本体の開口縁部の結露は防止できるものの、冷蔵庫本体側面に真空断熱材を貼り付けてもその効果が今一歩である、という課題があった。それは放熱パイプ１０７から放熱される熱が発泡断熱材１０６に浸透していき、そのパイプ付近の温度を上げるため、真空断熱材を放熱パイプ１０７から離して設置しなければならず、扉開閉によって外気温近くになりやすく最も断熱を必要とする開口部付近まで真空断熱材を広げて強力に断熱することができない、ということによる。そのため、この部分からの熱侵入を効率よく低減することができず、真空断熱材を設けたのにもかかわらず十分な断熱ができなかったのである。
【０００９】
また、放熱パイプ１０７は外箱１０１のコーナ部という側面部との境目部分に設けてあるため、放熱パイプ１０７からの熱が金属板からなる外箱１０１の側面部側に直接熱伝導分散していき、この分散した熱が当該外箱１０１の側面部内面に貼り付けた真空断熱材の外被を介して外箱１０１の側面部全体へと広がり、真空断熱材による断熱性を劣化させ、断熱効果を低下させていることもある。
【００１０】
本発明はこのような点に鑑みてなしたもので、放熱パイプの熱影響を低減して外箱側面部に貼り付けた真空断熱材の断熱効果を十分に発揮させることができるようにし省エネ性を高めた冷蔵庫を提供するものである。
【課題を解決するための手段】
【００１１】
上記目的を達成するため本発明は、金属製の外箱と樹脂製の内箱と前記外箱と内箱間に充填される発泡断熱材とから構成される冷蔵庫本体と、前記冷蔵庫本体の前面開口部を開閉する扉とを備え、上記冷蔵庫本体の外箱側面内に真空断熱材を設けるとともに、前記冷蔵庫本体の開口部は前記外箱と内箱の縁部を重合させて構成し、かつ、前記外箱の縁部は当該外箱の縁部が扉側に位置して内箱の縁部を覆うように重合させるとともに、前記扉と対面する部分の外箱の縁部と内箱の縁部との重合部間に放熱パイプを配置し、当該放熱パイプの真空断熱材側を内箱の縁部で覆う構成としてある。
【００１２】
これによって、放熱パイプから真空断熱材側への熱の伝導分散を内箱の樹脂製の縁部が遮断することになり、よって放熱パイプ付近の断熱材温度が低減するので真空断熱材を放熱パイプ近く、すなわち開口付近まで設置してその設置面積を拡大することができ、側壁部の断熱効果をあげて熱の侵入を強力に防止することができる。
【発明の効果】
【００１３】
本発明は、放熱パイプによる放熱の影響を最小限に抑えて真空断熱材の設置面積を拡大し、その断熱効果を高めて庫内への熱侵入を低減することによりさらなる省エネ性の向上が図れる。
【図面の簡単な説明】
【００１４】
【図１】本発明の実施の形態１による冷蔵庫の正面図
【図２】同実施の形態１による冷蔵庫の扉を取り除いた時の斜視図
【図３】同実施の形態１による冷蔵庫の扉を取り除いた時の正面図
【図４】同実施の形態１による冷蔵庫を説明する図１のＡ−Ａ断面図
【図５】同実施の形態１による冷蔵庫を説明する図４のＢ−Ｂ断面図
【図６】同実施の形態１による冷蔵庫を説明する図５のＸ部分の拡大断面図
【図７】従来の冷蔵庫の一部を示す断面図
【発明を実施するための形態】
【００１５】
第１の発明は、金属製の外箱と樹脂製の内箱と前記外箱と内箱間に充填される発泡断熱材とから構成される冷蔵庫本体と、前記冷蔵庫本体の前面開口部を開閉する扉とを備え、上記冷蔵庫本体の外箱側面内に真空断熱材を設けるとともに、前記冷蔵庫本体の開口部は前記外箱と内箱の縁部を重合させて構成し、かつ、前記外箱の縁部は当該外箱の縁部が扉側に位置して内箱の縁部を覆うように重合させるとともに、前記扉と対面する部分の外箱の縁部と内箱の縁部との重合部間に放熱パイプを配置し、当該放熱パイプの真空断熱材側を内箱の縁部で覆う構成としてある。
【００１６】
これによって、放熱パイプから真空断熱材側への熱の伝導分散を内箱の樹脂製の縁部が遮断することになり、よって放熱パイプ付近の断熱材温度が低減するので真空断熱材を放熱パイプ近く、すなわち開口付近まで広げて設置することができ、側壁部の断熱効果をあげて熱の侵入を強力に防止することができる。
【００１７】
第２の発明は、第１の発明の外箱の縁部は折り返して二重フランジを形成しその端部に略コ字状部を設けるとともに、内箱の縁部は凹部を形成して当該凹部を前記外箱の略コ字状部に嵌め合わせ、前記凹部と略コ字状部との間に放熱パイプを配置して、前記扉と対面する外箱の縁部が二重構成となるようにしたものであり、放熱パイプが接する外箱の縁部
は二重フランジを介して側面部へと連なるため真空断熱材までの熱伝導距離が長くなるとともに、この二重フランジ部分での放熱作用によって熱伝導・分散量が少なくなり、その分更に真空断熱材を放熱パイプ、すなわち開口近傍まで広げて設置することができて、熱侵入を強力に防止することができる。
【００１８】
第３の発明は、第１または第２の発明の外箱の略コ字状部と真空断熱材の端部とは非接触状態として両者間に発泡断熱材が位置する構成としてあり、外箱の略コ字状部に真空断熱材が接していることによって生じる断熱性能の劣化を防止することができる。
【００１９】
第４の発明は、第１〜第３の発明において、内箱の凹部は外箱の略コ字状部に圧入して嵌め合わせた構成としてあり、もっとも目につきやすいこれら両者間の結合部に隙間が生じるようなことがなくなって、省エネ性向上とともに商品性も向上させることができる。
【００２０】
以下、本発明の実施の形態について、図面を参照しながら説明する。なお、この実施の形態によってこの発明が限定されるものではない。
【００２１】
（実施の形態１）
図１は本発明の実施の形態１による冷蔵庫の正面図、図２は同冷蔵庫の扉を取り除いた時の斜視図、図３は同冷蔵庫の扉を取り除いた時の正面図、図４は同冷蔵庫を説明する図１のＡ−Ａ断面図、図５は同冷蔵庫を説明する図４のＢ−Ｂ断面図、図６は同冷蔵庫を説明する図５のＸ部分の拡大断面図である。
【００２２】
図１から図６において、冷蔵庫本体１は、前方に開口する金属製（例えば鉄板）の外箱２と硬質樹脂製（例えばＡＢＳ）の内箱３と、外箱２と内箱３の間に発泡充填されたウレタン等の発泡断熱材４からなる断熱箱体で構成されており、この本体内に複数の貯蔵室を区画形成してある。貯蔵室は上から冷蔵室５、冷蔵室５の下に設けられた野菜室６、野菜室６の下部に設けられた冷凍室７となっている。図３に示すように冷蔵室５と野菜室６の前面は１枚の扉５ａで、冷凍室７の前面はこれ専用の扉７ａにより開閉自由に閉塞される。
【００２３】
冷蔵庫本体１は、その背面に冷却室があり、周知の如く、冷気を生成する冷却器（図示せず）と、冷気を各室に供給する冷気送風ファン（図示せず）とを有し、庫内の温度検知センサー（図示せず）とダンパ等（図示せず）により庫内温度が制御されている。そして、本体下奥部に配置された圧縮機（図示せず）と、コンデンサ（図示せず）と、放熱用の放熱パイプ８と、キャピラリーチューブ（図示せず）と、冷却器（図示せず）とを順次環状に接続してなる冷凍サイクルに冷媒を封入し、冷却運転を行う。なお、前記冷媒には近年、環境保護のために可燃性冷媒を用いることが多い。
【００２４】
冷蔵庫本体１の両側部１ａ及び背面部１ｂそして天面部１ｃには、放熱用の放熱パイプ８が配設してあり、一本のパイプを折り曲げることで放熱長さを確保している。上記放熱パイプ８は冷蔵庫本体１の外箱２内面にテープ貼り等によって取り付けてあり、この放熱パイプ８を覆う如く必要個所に真空断熱材９が外箱２内面に取り付けてある。
【００２５】
上記真空断熱材９はその熱伝導率が、０．００８から０．０００５Ｗ／ｍ・Ｋと断熱性能が非常に優れているため、冷蔵庫本体１の壁厚を薄くしても、貯蔵室内に侵入してくる熱量を有効的に削減することが可能となる。
【００２６】
なお、上記冷蔵庫本体１の外箱２は一枚の板体にあらかじめ放熱パイプ８をテープで貼り付けておき、この板体を折り曲げて左右両側部１ａと天面部１ｃを形成し、その後、背面部１ｂを取り付けて、形成してある。そしてこの外箱２に内箱３を重ねて両者の間に発
泡断熱材４を発泡充填することにより冷蔵庫本体１を形成している。
【００２７】
次に上記冷蔵庫本体１の開口部における放熱パイプ８の取り付けと真空断熱材９の位置関係を説明する。
【００２８】
図６は図５のＸ部、すなわち、冷蔵庫本体１の開口部とその開口部を覆う扉の一部を拡大して示しており、通常扉に装着してある気密用のガスケットは取り除いて記載してある。
【００２９】
同図において冷蔵庫本体１を構成する外箱２の縁部は外向きに折り返して二重フランジ１１を形成し、その端部を更に略コ字状に内向きに折り返して略コ字状部１２を形成するとともに、その最終端部は略コ字状部１２の開口部分を広げる方向に傾斜させた傾斜片１３としてある。一方、内箱３の縁部は扉５ａとは反対側に向かって凹部１４を形成し、この凹部１４を前記外箱２の略コ字状部１２に嵌め合わせて圧入結合してある。そして、放熱パイプ８は前記二重フランジ１１と凹部１４との間に設けてある。
【００３０】
また、真空断熱材９は外箱２の内面に接着剤等によって貼り付けてあり、その端部９ａは外箱２の略コ字状部１２及び傾斜片１３に接触しない範囲で近接設置してある。ここで前記接触しない範囲というのは、次のようなことを言う。すなわち、真空断熱材９は、ガスの透過を阻止する多層ラミネート構造のアルミフィルム等から成る良熱伝導性の外被袋、シリカ・パーライト等の微粉末もしくは無機繊維等からなる芯材により構成され、芯材を外被袋に封入した後、外被袋内のガス（空気）を排気し、真空状にしてヒートシールにより密封し構成されている。そのため図示はしないものの、外被袋の周縁部には耳片部が存在することになる。この耳片部は真空断熱材９と外箱２内面壁との間に挟み込んで固定されているが、生産ばらつき等によってそのままはみ出している場合があり得るので、この耳片部が接しない寸法離れていることを言う。
【００３１】
なお、上記真空断熱材９の端部９ａと外箱２の略コ字状部１２及び傾斜片１３との間は発泡断熱材４が存在しているのは従来と同様である。
【００３２】
以上のように構成された冷蔵庫について、以下その動作、作用について説明する。
【００３３】
まず冷蔵庫の冷却について説明する。例えば冷蔵室５が外気からの侵入熱および扉開閉などにより、庫内温度が上昇して冷凍室センサ（図示せず）が起動温度以上になった場合に、圧縮機（図示せず）が起動し冷却が開始される。圧縮機から吐出された高温高圧の冷媒は、最終的に機械室（図示せず）に配置されたドライヤ（図示せず）まで到達する間、特に外箱２に設置される放熱パイプ８において、外箱２の外側の空気や庫内の発泡断熱材４との熱交換による放熱で、冷却されて液化する。
【００３４】
液化した冷媒はキャピラリーチューブ（図示せず）で減圧されて、冷却器（図示せず）に流入し冷却器周辺の庫内空気と熱交換する。熱交換された冷気は、近傍の冷気送風ファン（図示せず）により庫内に冷気が送風され庫内を冷却する。この後、冷媒は加熱されガス化して圧縮機に戻る。庫内が冷却されて冷凍室センサ（図示せず）の温度が停止温度以下になった場合に圧縮機の運転が停止する。
【００３５】
ここで上記放熱パイプ８の冷蔵庫本体１の開口部付近での放熱と断熱作用について説明する。冷蔵庫本体１の開口部に配置された放熱パイプ８は外箱２の二重フランジ１１と内箱３の凹部１４との間にあって、二重フランジ１１の温度を結露温度以上に温め、この部分での結露を防止している。
【００３６】
一方、上記放熱パイプ８から発泡断熱材４側に向けて放熱される熱は、当該発泡断熱材４との間に樹脂製の内箱の凹部１４壁が位置していて、この凹部１４壁によって遮断されるようになる。したがい、放熱パイプ８近傍の発泡断熱材４の温度上昇は従来に比べ低いものとなり、外箱２内面に貼り付けた真空断熱材９の端部９ａを放熱パイプ８付近に近接させても、その熱によって外被の温度が上昇し熱伝導・分散して生じる断熱性劣化を抑制することができる。
【００３７】
また、前記放熱パイプ８から扉５ａ側に向けて放熱される熱は、既述したように二重フランジ１１の温度を結露温度以上に温めて結露を防止するが、この結露防止される部分が二重になっていて、その放熱作用により側面部分への熱伝導・分散量が少なくなり、しかも二重フランジ１１によって真空断熱材９が貼り付けてある側面部までの熱伝導距離も長くなることから、開口近傍の外箱側面部の温度は従来に比べ低いものとなる。
【００３８】
以上のような両作用からこの冷蔵庫では、外箱２内面に貼り付けた真空断熱材９の端部９ａを放熱パイプ８の近傍、すなわち開口近傍まで広げて設置することができ、扉開閉によって外気温近くになりやすく最も断熱を必要とする開口部分からの熱侵入を効率よく抑制することができ、省エネ性が向上する。
【００３９】
更に前記外箱２の略コ字状部１２と真空断熱材９の端部９ａとは非接触状態として両者間に発泡断熱材４が位置しているから、外箱２の略コ字状部１２に真空断熱材９が接していることによって生じる断熱性能劣化を防止することができる。すなわち、真空断熱材９は、すでに述べたとおりアルミフィルム等から成る良熱伝導性の外被袋を備えているため、この外被袋が外箱２の略コ字状部１２や傾斜片１３と接すると、これら略コ字状部１２や傾斜片１３の温度が従来より低く抑えられているとはいえその熱が外被を介して真空断熱材９全域に広がり断熱性劣化を引き起こすのであるが、このようなことも防止できる。
【００４０】
特にこの実施の形態では外被袋にできる耳片部の寸法よりも離して真空断熱材９を設けているので、生産過程において仮に耳片部が真空断熱材９と外箱２内面壁との間からはみ出していてもこれが真空断熱材９と接するのを確実に防止することができ、効果的である。
【００４１】
一方、前記冷蔵庫本体１は、内箱３の凹部１４を外箱２の略コ字状部１２に嵌め合わせて一体化してあるが、その際上記内箱３の凹部１４を外箱２の略コ字状部１２に圧入して嵌め合わせているので、その嵌め合わせ部に隙間が発生するようなことがなくなる。すなわち、もっとも目につきやすいこれら両者間に隙間が生じるようなことがなくなって、省エネ性向上とともに商品性も向上させることができる。しかも上記略コ字状部１２には傾斜片１３が設けてあるから、凹部１４の略コ字状部１２への嵌め込みが容易になり、生産性も向上する。
【００４２】
なお、上記実施の形態で説明した具体構成は本発明を実現する一例として示したものであり、本発明の目的を達成する範囲で種々変更可能であることは言うまでもない。
【産業上の利用可能性】
【００４３】
以上のように、本発明は、放熱パイプによる放熱の影響を最小限に抑えて真空断熱材の設置面積を拡大し、断熱効果を高めて熱侵入を低減することによりさらなる省エネ性の向上が図れ、冷凍機器全般に好適である。
【符号の説明】
【００４４】
１  冷蔵庫本体
１ａ  両側部
１ｂ  背面部
１ｃ  天面部
２  外箱
３  内箱
４  発泡断熱材
５  冷蔵室（貯蔵室）
５ａ  扉
６  野菜室（貯蔵室）
７  冷凍室（貯蔵室）
７ａ  扉
８  放熱パイプ
９  真空断熱材
９ａ  端部
１１  二重フランジ
１２  略コ字状部
１３  傾斜片
１４  凹部
【図１】
2013185735.tif 000003
【図２】
2013185735.tif 000004
【図３】
2013185735.tif 000005
【図４】
2013185735.tif 000006
【図５】
2013185735.tif 000007
【図６】
2013185735.tif 000008
【図７】
2013185735.tif 000009